(57)【要約】【課題】ユーザの操作性を維持しつつ、消費電力を低減させることが可能な携帯電話端末装置を提供する。【解決手段】放置監視用時限としてあらかじめ定めた一定時間の間、照度センサ１０４により検出された周辺照度が、使用中状態を示す照度としてあらかじめ定めた一定照度以下であった場合、省電力モードに遷移する。または、周辺照度が前記一定照度以下であった場合、起動中のアプリケーションの終了の可否をユーザに対して問合せ、ユーザから終了を指示された場合、起動中の該アプリケーションを終了させた後、省電力モードに遷移する。または、前記一定時間の間、周辺照度が前記一定照度以下であった場合であって、かつ、加速度センサ１０５によりあらかじめ定めた値を超える移動が検出されなかった場合、省電力モードに遷移する。省電力モードにおいては、表示部１１１等消費電力が大きい部位を休止状態に移行させ、動作状態の部位を必要最小限に設定する。【選択図】        図１
2011087058.tif 000002
【特許請求の範囲】
【請求項１】
内蔵した電池から供給される電力により動作する携帯電話端末装置において、当該携帯電話端末装置の周辺照度を検出する照度センサを備え、放置監視用時限としてあらかじめ定めた一定時間の間、前記照度センサにより検出された前記周辺照度が、当該携帯電話端末装置の使用中状態を示す照度としてあらかじめ定めた一定照度以下であった場合、省電力モードに遷移することを特徴とする携帯電話端末装置。
【請求項２】
内蔵した電池から供給される電力により動作する携帯電話端末装置において、当該携帯電話端末装置の周辺照度を検出する照度センサを備え、放置監視用時限としてあらかじめ定めた一定時間の間、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする携帯電話端末装置。
【請求項３】
内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、省電力モードに遷移することを特徴とする携帯電話端末装置。
【請求項４】
内蔵した電池から供給される電力により動作する携帯電話端末装置において、当該携帯電話端末装置の周辺照度を検出する照度センサを備え、放置監視用時限としてあらかじめ定めた一定時間の間に、ユーザからの操作データの入力がなく、かつ、前記照度センサにより検出された前記周辺照度が、当該携帯電話端末装置の使用中状態を示す照度としてあらかじめ定めた一定照度以下であった場合、省電力モードに遷移することを特徴とする携帯電話端末装置。
【請求項５】
内蔵した電池から供給される電力により動作する携帯電話端末装置において、当該携帯電話端末装置の移動を検出する加速度センサを備え、放置監視用時限としてあらかじめ定めた一定時間の間に、前記加速度センサにより、あらかじめ定めた値を超える移動が検出されなかった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする携帯電話端末装置。
【請求項６】
内蔵した電池から供給される電力により動作する携帯電話端末装置において、当該携帯電話端末装置の移動を検出する加速度センサを備え、放置監視用時限としてあらかじめ定めた一定時間の間に、ユーザからの操作データの入力がなく、かつ、前記加速度センサにより、あらかじめ定めた値を超える移動が検出されなかった場合、省電力モードに遷移することを特徴とする携帯電話端末装置。
【請求項７】
内蔵した電池から供給される電力により動作する携帯電話端末装置において、放置監視用時限としてあらかじめ定めた一定時間の間に、ユーザからの操作データの入力がなかった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする携帯電話端末装置。
【請求項８】
内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする携帯電話端末装置。
【請求項９】
内蔵した電池から供給される電力により動作する携帯電話端末装置において、当該携帯電話端末装置の周辺照度を検出する照度センサを備え、放置監視用時限としてあらかじめ定めた一定時間の間に、ユーザからの操作データの入力がなく、かつ、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする携帯電話端末装置。
【請求項１０】
内蔵した電池から供給される電力により動作する携帯電話端末装置において、当該携帯電話端末装置の移動を検出する加速度センサを備え、放置監視用時限としてあらかじめ定めた一定時間の間に、ユーザからの操作データの入力がなく、かつ、前記加速度センサにより、あらかじめ定めた値を超える移動が検出されなかった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする携帯電話端末装置。
【請求項１１】
内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、ユーザからの操作データの入力がなく、かつ、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、省電力モードに遷移することを特徴とする携帯電話端末装置。
【請求項１２】
内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、ユーザからの操作データの入力がなく、かつ、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする携帯電話端末装置。
【請求項１３】
前記省電力モードに遷移した場合、当該携帯電話端末装置の各部位のうち、少なくとも、情報を画面表示する表示部への電力供給を停止することを特徴とする請求項１ないし１２のいずれかに記載の携帯電話端末装置。
【請求項１４】
内蔵した電池から供給される電力により動作する携帯電話端末装置における前記電池の消費電力を低減させる消費電力低減方法であって、放置監視用時限としてあらかじめ定めた一定時間の間、前記携帯電話端末装置の周辺照度が、当該携帯電話端末装置の使用中状態を示す照度としてあらかじめ定めた一定照度以下であった場合、省電力モードに遷移することを特徴とする消費電力低減方法。
【請求項１５】
内蔵した電池から供給される電力により動作する携帯電話端末装置における前記電池の消費電力を低減させる消費電力低減方法であって、放置監視用時限としてあらかじめ定めた一定時間の間、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする消費電力低減方法。
【請求項１６】
内蔵した電池から供給される電力により動作する携帯電話端末装置における前記電池の消費電力を低減させる消費電力低減方法であって、放置監視用時限としてあらかじめ定めた一定時間の間に、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、省電力モードに遷移することを特徴とする消費電力低減方法。
【請求項１７】
内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、前記携帯電話端末装置の周辺照度が、当該携帯電話端末装置の使用中状態を示す照度としてあらかじめ定めた一定照度以下であった場合、省電力モードに遷移することを特徴とする消費電力低減方法。
【請求項１８】
内蔵した電池から供給される電力により動作する携帯電話端末装置における前記電池の消費電力を低減させる消費電力低減方法であって、放置監視用時限としてあらかじめ定めた一定時間の間に、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする消費電力低減方法。
【請求項１９】
内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする消費電力低減方法。
【請求項２０】
内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、省電力モードに遷移することを特徴とする消費電力低減方法。
【請求項２１】
内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移することを特徴とする消費電力低減方法。
【請求項２２】
前記省電力モードに遷移した場合、当該携帯電話端末装置の各部位のうち、少なくとも、情報を画面表示する表示部への電力供給を停止することを特徴とする請求項１４ないし２１のいずれかに記載の消費電力低減方法。
【請求項２３】
請求項１４ないし２２のいずれかに記載の消費電力低減方法を、コンピュータによって実行可能なプログラムとして実施していることを特徴とする消費電力低減プログラム。
【請求項２４】
請求項２３に記載の消費電力低減プログラムを、コンピュータによって読み取り可能な記録媒体に記録していることを特徴とするプログラム記録媒体。
【発明の詳細な説明】
【技術分野】
【０００１】
本発明は、携帯電話端末装置、消費電力低減方法、消費電力低減プログラムおよびプログラム記録媒体に関する。
【背景技術】
【０００２】
近年、携帯電話端末装置は、多種多様な機能を備えて、複雑化してきており、これに伴い、消費電力が増加し、内蔵電池の電池残量の減少が激しくなってきているため、消費電力の増加を防ぐことが急務となっている。かかる消費電力の増加防止方法として、例えば、特許文献１の特開２００１−１３４３５０号公報「コンピュータおよびその消費電力制御方法ならびに記録媒体」に記載のように、所定時間の間、何ら操作がなされず、放置されていることを検出した場合には、携帯電話端末装置のアプリケーションを終了させるという方法や、特許文献２の特開２００７−２６６７０６号公報「携帯端末装置およびその制御方法」に記載のように、加速度センサを用いて携帯端末装置の移動の有無を確認し、所定時間の間移動がないことを検出した場合、表示装置への電力供給を停止するという方法が提案されている。
【先行技術文献】
【特許文献】
【０００３】
【特許文献１】特開２００１−１３４３５０号公報（第５−６頁）
【特許文献２】特開２００７−２６６７０６号公報（第５−７頁）
【発明の概要】
【発明が解決しようとする課題】
【０００４】
しかしながら、前記特許文献１や前記特許文献２の記載のような現状の消費電力低減方法においては、携帯電話端末装置のユーザの意図に反して、当該携帯電話端末装置が省電力モードに突然移行してしまう場合が発生し、ユーザが画面を確認中であったり、何らかの操作をしたりしている途中で、操作を行うことができなくなったり、画面表示が暗転したりして、ユーザの操作性に欠けるという問題が生じてしまう。
【０００５】
（本発明の目的）
本発明は、かかる事情に鑑みてなされたものであり、ユーザの操作性を維持しつつ、消費電力を低減させることが可能な携帯電話端末装置、消費電力低減方法、消費電力低減プログラムおよびプログラム記録媒体を提供することにある。
【課題を解決するための手段】
【０００６】
前述の課題を解決するため、本発明による携帯電話端末装置は、次のような特徴的な構成を採用している。
【０００７】
（１）内蔵した電池から供給される電力により動作する携帯電話端末装置において、当該携帯電話端末装置の周辺照度を検出する照度センサを備え、放置監視用時限としてあらかじめ定めた一定時間の間、前記照度センサにより検出された前記周辺照度が、当該携帯電話端末装置の使用中状態を示す照度としてあらかじめ定めた一定照度以下であった場合、省電力モードに遷移する携帯電話端末装置。
【発明の効果】
【０００８】
本発明の携帯電話端末装置、消費電力低減方法、消費電力低減プログラムおよびプログラム記録媒体によれば、以下のような効果を奏することができる。
【０００９】
第１の効果は、携帯電話端末装置のユーザの操作性を維持しつつ、不要な消費電力を抑制することができることである。その理由は、加速度センサによる携帯電話端末装置の移動の有無のみならず、照度センサによる携帯電話端末装置の周辺照度あるいは携帯電話端末装置のユーザへの問合せにより、携帯電話端末装置の使用の有無を判定した結果に基づいて、省電力モードへ遷移させることができるからである。
【００１０】
第２の効果は、ユーザの意図に基づいて消費電力の抑制を図ることができることである。その理由は、前述のように、携帯電話端末装置のユーザへの問合せにより、ユーザの意図を判別した結果に基づいて、省電力モードへ遷移させることができるからである。
【図面の簡単な説明】
【００１１】
【図１】本発明に係る携帯電話端末装置の内部構成の一例を示すブロック構成図である。
【図２】図１に示す携帯電話端末装置の動作の一例を説明するためのフローチャートである。
【図３】図１に示す携帯電話端末装置の動作の図２とは異なる例を説明するためのフローチャートである。
【発明を実施するための形態】
【００１２】
以下、本発明による携帯電話端末装置、消費電力低減方法、消費電力低減プログラムおよびプログラム記録媒体の好適な実施例について添付図を参照して説明する。なお、以下の説明においては、本発明による携帯電話端末装置および消費電力低減方法について説明するが、かかる消費電力低減方法をコンピュータにより実行可能な消費電力低減プログラムとして実施するようにしても良いし、あるいは、消費電力低減プログラムをコンピュータにより読み取り可能な記録媒体に記録するようにしても良いことは言うまでもない。また、本発明による携帯電話端末装置は、単に、携帯電話機のみを意味しているものではなく、ＰＨＳ（Personal Handy-phone System）端末やＰＤＡ（Personal
Digital Assistants）機器、携帯型ノートＰＣ（Personal Computer）等、内蔵電池で動作し、電話機能を有する端末であれば、如何なる端末装置であっても構わない。
【００１３】
（本発明の特徴）
本発明の実施形態の説明に先立って、本発明の特徴についてその概要をまず説明する。本発明は、あらかじめ定めた一定時間の間、携帯電話端末装置の操作や移動がなく、放置されていることを検出した際に、ユーザの操作がないことを確認した後、動作中のアプリケーションを停止して、携帯電話端末装置の消費電力を低減することを可能にすることを、主要な特徴としている。
【００１４】
（実施形態の構成例）
次に、本発明に係る携帯電話端末装置の構成について、その一例を、図１を用いて説明する。図１は、本発明に係る携帯電話端末装置の内部構成の一例を示すブロック構成図である。
【００１５】
図１に示す携帯電話端末装置は、アンテナ１０１、無線制御部１０２、記憶部１０３、照度センサ１０４、加速度センサ１０５、音声制御部１０６、マイク１０７、レシーバ１０８、スピーカ１０９、入力部１１０、表示部１１１、中央制御部１１２、電源制御部１１３、電池１１４を、少なくとも備えて構成されている。
【００１６】
無線制御部１０２は、アンテナ１０１を介して基地局との間で、無線信号の送受信を行い、送信する無線信号に含まれる通信データは、中央制御部１１２において編集され、受信した無線信号に含まれる通信データは、中央制御部１１２において処理される。また、電池１１４は、電源制御部１１３の制御により、携帯電話端末装置内部の各部位に対して電力を供給する。
【００１７】
また、記憶部１０３は、中央制御部１１２にて使用する各種のデータの保存を行う。また、入力部１１０は、ユーザのキー押下等による操作情報を入力し、表示部１１１は、各種の情報を画面表示して、ユーザに提示する。また、音声制御部１０６の制御により、スピーカ（ＳＰＫ）１０９およびレシーバ（ＲＥＣ）１０８から各種の音声情報を出力し、マイク（ＭＩＣ）１０７から各種の音声情報を入力する。さらに、照度センサ１０４および加速度センサ１０５は、携帯電話端末装置の周辺照度や携帯電話端末装置の移動等、携帯電話端末装置の状態を検知して、中央制御部１１２に通知する。
【００１８】
携帯電話端末装置の通話時におけるデータの流れは、例えば、以下の通りである。アンテナ１０１を介して、基地局から無線制御部１０２に入力される音声データは、中央制御部１１２に送られて、中央制御部１１２により処理され、しかる後、音声制御部１０６を介して、スピーカ（ＳＰＫ）１０９またはレシーバ（ＲＥＣ）１０８から出力される。
【００１９】
逆に、携帯電話端末装置のユーザの発話音声は、マイク（ＭＩＣ）１０７から、音声制御部１０６を介して、中央制御部１１２に入力され、中央制御部１１２により編集処理され、しかる後、無線制御部１０２を介して、アンテナ１０１から基地局へと出力される。
【００２０】
また、携帯電話端末装置のデータ通信時におけるデータの流れは、例えば、以下の通りである。携帯電話端末装置のユーザの操作によるキーデータ等は入力部１１０から中央制御部１１２に入力され、中央制御部１１２により処理されて記憶部１０３にて一時保管され、しかる後、あらかじめ定めた手順で、適時、中央制御部１１２により記憶部１０３から読み出されて無線制御部１０２に送られ、無線制御部１０２を介して、アンテナ１０１から基地局へと出力される。
【００２１】
逆に、基地局から無線制御部１０２に入力されるデータ通信用データは、中央制御部１１２に送られて、中央制御部１１２により処理されて記憶部１０３にて一時保管され、しかる後、適時、中央制御部１１２により記憶部１０３から読み出されて、表示部１１１に画面表示される。
【００２２】
なお、携帯電話端末装置の周辺の照度に変化が発生した場合、照度センサ１０４を介して、周辺照度の変化情報が中央制御部１１２に入力される。中央制御部１１２は、状況に応じて、記憶部１０３へ周辺照度の変化情報を状態情報として記録するとともに、各部位に対する制御信号を送出することにより、各部位の制御を行う。また、携帯電話端末装置の位置に変化が発生した場合、加速度センサ１０５を介して、位置の変化情報（移動情報）が中央制御部１１２に入力される。中央制御部１１２は、状況に応じて、記憶部１０３へ位置の変化情報（移動情報）を状態情報として記録するとともに、各部位に対する制御信号を送出することにより、各部位の制御を行う。
【００２３】
（実施形態の動作の説明）
次に、図１に示す携帯電話端末装置の動作の一例について、図２のフローチャートを用いて説明する。図２は、図１に示す携帯電話端末装置の動作の一例を説明するためのフローチャートである。
【００２４】
図２のフローチャートにおいて、まず、図１の入力部１１０に備えられている電源キーの押下操作により、携帯電話端末装置の電源がオンされて、携帯電話端末装置本体の起動処理が実行される（ステップＳ１）。しかる後、携帯電話端末装置のユーザによる入力部１１０の各種キーの押下操作に応じて、それぞれに該当する各種のアプリケーションが起動される（ステップＳ２）。ただし、携帯電話端末装置の基本機能であるところの通話状態やデータ送受信状態にある場合においては、次のステップＳ３には進まないものとし、通話状態やデータ送受信状態を維持する。
【００２５】
次に、通話状態やデータ送受信状態ではない空きの状態にあった場合、放置監視用時限としてあらかじめ定めた一定時間を監視する放置監視用タイマを起動させ（ステップＳ３）、起動されているアプリケーションの経過時間を計測する。起動された放置監視用タイマが計時する時間が、あらかじめ定めた一定時間を経過しているか否かを確認し（ステップＳ４）、経過していない場合は（ステップＳ４のＮＯ）、一定時間が経過するまで待ち合わせるために、ステップＳ４の確認動作を繰り返し、該一定時間を経過した場合は（ステップＳ４のＹＥＳ）、次のステップＳ５へ進む。
【００２６】
ステップＳ５に進むと、次に、加速度センサ１０５から入力される加速度情報に基づいて、あらかじめ定めた一定時間の間に、携帯電話端末装置の位置にあらかじめ定めた値を超える変化があったか否か、つまり、携帯電話端末装置に移動があったか否かを確認し（ステップＳ５）、携帯電話端末装置に移動があった場合は（ステップＳ５のＹＥＳ）、放置監視用タイマをリセットした後、再度、携帯電話端末装置の放置状態を監視するために、ステップＳ３に復帰する。一方、携帯電話端末装置に移動がなかった場合には（ステップＳ５のＮＯ）、次のステップＳ６へ進む。
【００２７】
ステップＳ５に進むと、次に、照度センサ１０４から入力される照度情報に基づいて、携帯電話端末装置の周辺照度が、表示部１１１の液晶表示装置等が明点していて、使用中状態を示す照度としてあらかじめ定めた一定照度（ここでは、一定照度を“α”と表す）を超えているか否かを確認する（ステップＳ６）。携帯電話端末装置の周辺照度が一定照度“α”を超えていた場合は（ステップＳ６のＹＥＳ）、放置監視用タイマをリセットした後、再度、携帯電話端末装置の放置状態を監視するために、ステップＳ３に復帰する。一方、携帯電話端末装置の周辺照度が一定照度“α”以下であった場合は（ステップＳ６のＮＯ）、あらかじめ定めた一定時間の間、携帯電話端末装置のユーザは携帯電話端末装置を使用していない状態が継続していて、起動されていたアプリケーションがスリープ状態にあるか、あるいは、ユーザが画面を見ることを放棄しているものと判断して、次のステップＳ７へ進む。
【００２８】
ステップＳ７に進むと、次に、携帯電話端末装置のユーザは携帯電話端末装置を使用していない状態にあるので、起動されていたアプリケーションを終了させる（ステップＳ７）。さらに、省電力モードへと遷移させて、電源制御部１１３の制御により、携帯電話端末装置の各部位のうち、少なくとも、消費電力が大きい表示部１１１への電力供給を停止して、画面表示をオフしたり、バックライトをオフしたりするなどの制御を行うことにより、消費電力が大きい部位から順次休止状態に移行させて、動作状態の部位を必要最小限に設定する（ステップＳ８）。
【００２９】
（他の実施形態の動作の説明）
次に、図１に示す携帯電話端末装置の動作の図２のフローチャートとは異なる例について、図３のフローチャートを用いて説明する。図３は、図１に示す携帯電話端末装置の動作の図２とは異なる例を説明するためのフローチャートである。図３のフローチャートにおいては、携帯電話端末装置の電源をＯＮして本体を起動してから加速度センサ１０５による携帯電話端末装置の移動の有無を確認するまでの動作（ステップＳ１〜Ｓ５）は、図２に示すステップＳ１〜Ｓ５の動作と全く同じであり、図２と同じステップ符号を用いて表現している。ステップＳ５において、“ＮＯ”の判定がなされた場合、以降の動作は、図２のフローチャートとは異なる動作となり、次のステップとして、図３のステップＳ１６に遷移する。
【００３０】
つまり、図３のフローチャートにおいては、放置監視用タイマにより計時している一定時間の間に亘って、携帯電話端末装置の移動が検出されなかった場合に（ステップＳ５のＮＯ）、携帯電話端末装置のユーザが携帯電話端末装置を使用していないか否かを判定する動作として、図２のフローチャートの場合の照度センサ１０４を用いる判定動作とは異なり、携帯電話端末装置のユーザに対して起動中のアプリケーションの終了の可否を問い合わせることによって、携帯電話端末装置の動作状態をそのまま継続するか否かを判定する場合について示している。
【００３１】
すなわち、ステップＳ５において、携帯電話端末装置に移動が検出されなかった場合には（ステップＳ５のＮＯ）、次のステップＳ１６へ進み、起動中のアプリケーションを終了させることに同意するか否かのメッセージを表示部１１１に表示して、携帯電話端末装置のユーザに問い合わせる（ステップＳ１６）。表示部１１１の問合せを見た携帯電話端末装置のユーザが、起動中のアプリケーションは終了しない旨を入力部１１０から指示した場合には（ステップＳ１６のＮＯ）、放置監視用タイマをリセットした後、再度、携帯電話端末装置の放置状態を監視するために、ステップＳ３に復帰する。一方、携帯電話端末装置のユーザが、起動中のアプリケーションの終了を入力部１１０から指示した場合には（ステップＳ１６のＹＥＳ）、次のステップＳ１７へ進む。
【００３２】
ステップＳ１７に進むと、次に、携帯電話端末装置のユーザは、起動中のアプリケーションの終了を指示しているので、起動されていた当該アプリケーションを終了させる（ステップＳ１７）。さらに、省電力モードへと遷移させて、電源制御部１１３の制御により、携帯電話端末装置の各部位のうち、少なくとも、消費電力が大きい表示部１１１への電力供給を停止して、画面表示をオフしたり、バックライトをオフしたりするなどの制御を行うことにより、消費電力が大きい部位から順次休止状態に移行させて、動作状態の部位を必要最小限に設定する（ステップＳ１８）。
【００３３】
以上の図２、図３のような動作を行うことにより、ユーザの操作性を維持しつつ、携帯電話端末装置の消費電力を効果的に低減させることができる。
【００３４】
なお、図２、図３の各フローチャートにおいては、ステップＳ５において加速度センサ１０５を用いて、放置監視用タイマにより計時している一定時間の間に、携帯電話端末装置の移動が検出されたか否かを判定しているが、かかる加速度センサ１０５による判定の代わりに、ユーザの操作情報を入力する入力部１１０からの入力データが、放置監視用タイマにより計時している一定時間の間に存在しているか否かを判定するようにしても良い。あるいは、ステップＳ５において、加速度センサ１０５による移動の有無の判定のみならず、入力部１１０からの入力データの有無も含めて、両者を判定することによって、携帯電話端末装置のユーザが携帯電話端末装置を操作しているか否かを判定するようにしても良い。
【００３５】
あるいは、場合によっては、ステップＳ５の処理を省略して、つまり、放置監視用タイマにより計時している一定時間の間に、加速度センサ１０５による移動の有無の判定や入力部１１０からの入力データの有無の判定を省略して、照度センサ１０４による周辺照度の判定またはユーザへのアプリケーションの終了の可否の問合せのみによって、ユーザの使用状態を判定するようにしても良い。また、かくのごとく、ステップＳ５の処理を省略する場合は、携帯電話端末装置のユーザによる使用の有無をより確実に判定するために、照度センサ１０４による周辺照度の判定の結果として、周辺照度があらかじめ定めた一定照度“α”以下に低下していた場合には、ユーザへのアプリケーションの終了の可否の問合せを行うなど、照度センサ１０４による周辺照度の判定とユーザへのアプリケーションの終了の可否の問合せとを併用するようにしても良い。
【００３６】
（実施形態の効果の説明）
以上に説明したように、本発明の実施形態によれば、以下のような効果が得られる。
【００３７】
第１の効果は、携帯電話端末装置のユーザの操作性を維持しつつ、不要な消費電力を抑制することができることである。その理由は、加速度センサ１０５による携帯電話端末装置の移動の有無のみならず、照度センサ１０４による携帯電話端末装置の周辺照度あるいは携帯電話端末装置のユーザへの問合せにより、携帯電話端末装置の使用の有無を判定した結果に基づいて、省電力モードへ遷移させることができるからである。
【００３８】
第２の効果は、ユーザの意図に基づいて消費電力の抑制を図ることができることである。その理由は、前述のように、携帯電話端末装置のユーザへの問合せにより、ユーザの意図を判別した結果に基づいて、省電力モードへ遷移させることができるからである。
【００３９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）内蔵した電池から供給される電力により動作する携帯電話端末装置において、当該携帯電話端末装置の周辺照度を検出する照度センサを備え、放置監視用時限としてあらかじめ定めた一定時間の間、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する携帯電話端末装置。
（３）内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、省電力モードに遷移する携帯電話端末装置。
（４）内蔵した電池から供給される電力により動作する携帯電話端末装置において、当該携帯電話端末装置の周辺照度を検出する照度センサを備え、放置監視用時限としてあらかじめ定めた一定時間の間に、ユーザからの操作データの入力がなく、かつ、前記照度センサにより検出された前記周辺照度が、当該携帯電話端末装置の使用中状態を示す照度としてあらかじめ定めた一定照度以下であった場合、省電力モードに遷移する携帯電話端末装置。
（５）内蔵した電池から供給される電力により動作する携帯電話端末装置において、当該携帯電話端末装置の移動を検出する加速度センサを備え、放置監視用時限としてあらかじめ定めた一定時間の間に、前記加速度センサにより、あらかじめ定めた値を超える移動が検出されなかった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する携帯電話端末装置。
（６）内蔵した電池から供給される電力により動作する携帯電話端末装置において、当該携帯電話端末装置の移動を検出する加速度センサを備え、放置監視用時限としてあらかじめ定めた一定時間の間に、ユーザからの操作データの入力がなく、かつ、前記加速度センサにより、あらかじめ定めた値を超える移動が検出されなかった場合、省電力モードに遷移する携帯電話端末装置。
（７）内蔵した電池から供給される電力により動作する携帯電話端末装置において、放置監視用時限としてあらかじめ定めた一定時間の間に、ユーザからの操作データの入力がなかった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する携帯電話端末装置。
（８）内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する携帯電話端末装置。
（９）内蔵した電池から供給される電力により動作する携帯電話端末装置において、当該携帯電話端末装置の周辺照度を検出する照度センサを備え、放置監視用時限としてあらかじめ定めた一定時間の間に、ユーザからの操作データの入力がなく、かつ、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する携帯電話端末装置。
（１０）内蔵した電池から供給される電力により動作する携帯電話端末装置において、当該携帯電話端末装置の移動を検出する加速度センサを備え、放置監視用時限としてあらかじめ定めた一定時間の間に、ユーザからの操作データの入力がなく、かつ、前記加速度センサにより、あらかじめ定めた値を超える移動が検出されなかった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する携帯電話端末装置。
（１１）内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、ユーザからの操作データの入力がなく、かつ、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、省電力モードに遷移する携帯電話端末装置。
（１２）内蔵した電池から供給される電力により動作する携帯電話端末装置において、当該携帯電話端末装置の移動を検出する加速度センサと当該携帯電話端末装置の周辺照度を検出する照度センサとを備え、放置監視用時限としてあらかじめ定めた一定時間の間に、ユーザからの操作データの入力がなく、かつ、前記加速度センサにより、あらかじめ定めた値を超える移動が検出されなかった場合であって、かつ、前記照度センサにより検出された前記周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する携帯電話端末装置。
（１３）前記省電力モードに遷移した場合、当該携帯電話端末装置の各部位のうち、少なくとも、情報を画面表示する表示部への電力供給を停止する上記（１）ないし（１２）のいずれかの携帯電話端末装置。
（１４）内蔵した電池から供給される電力により動作する携帯電話端末装置における前記電池の消費電力を低減させる消費電力低減方法であって、放置監視用時限としてあらかじめ定めた一定時間の間、前記携帯電話端末装置の周辺照度が、当該携帯電話端末装置の使用中状態を示す照度としてあらかじめ定めた一定照度以下であった場合、省電力モードに遷移する消費電力低減方法。
（１５）内蔵した電池から供給される電力により動作する携帯電話端末装置における前記電池の消費電力を低減させる消費電力低減方法であって、放置監視用時限としてあらかじめ定めた一定時間の間、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する消費電力低減方法。
（１６）内蔵した電池から供給される電力により動作する携帯電話端末装置における前記電池の消費電力を低減させる消費電力低減方法であって、放置監視用時限としてあらかじめ定めた一定時間の間に、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、省電力モードに遷移する消費電力低減方法。
（１７）内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、前記携帯電話端末装置の周辺照度が、当該携帯電話端末装置の使用中状態を示す照度としてあらかじめ定めた一定照度以下であった場合、省電力モードに遷移する消費電力低減方法。
（１８）内蔵した電池から供給される電力により動作する携帯電話端末装置における前記電池の消費電力を低減させる消費電力低減方法であって、放置監視用時限としてあらかじめ定めた一定時間の間に、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する消費電力低減方法。
（１９）内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する消費電力低減方法。
（２０）内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、省電力モードに遷移する消費電力低減方法。
（２１）内蔵した電池から供給される電力により動作する携帯電話端末装置における前記電池の消費電力を低減させる消費電力低減方法であって、放置監視用時限としてあらかじめ定めた一定時間の間に、ユーザからの操作データの入力がなく、かつ、あらかじめ定めた値を超える前記携帯電話端末装置の移動が検出されなかった場合であって、かつ、前記携帯電話端末装置の周辺照度が、当該携帯電話端末装置の使用中状態を示す照度としてあらかじめ定めた一定照度以下であった場合、ユーザに対して起動中のアプリケーションの終了の可否を問合せ、しかる後、当該ユーザから該アプリケーションの終了を指示された場合、起動中の該アプリケーションを終了させた後、省電力モードに遷移する消費電力低減方法。
（２２）前記省電力モードに遷移した場合、当該携帯電話端末装置の各部位のうち、少なくとも、情報を画面表示する表示部への電力供給を停止する上記（１４）ないし（２１）のいずれかの消費電力低減方法。
（２３）上記（１４）ないし（２２）のいずれかの消費電力低減方法を、コンピュータによって実行可能なプログラムとして実施している消費電力低減プログラム。
（２４）上記（２３）の消費電力低減プログラムを、コンピュータによって読み取り可能な記録媒体に記録しているプログラム記録媒体。
【符号の説明】
【００４０】
１０１    アンテナ
１０２    無線制御部
１０３    記憶部
１０４    照度センサ
１０５    加速度センサ
１０６    音声制御部
１０７    マイク
１０８    レシーバ
１０９    スピーカ
１１０    入力部
１１１    表示部
１１２    中央制御部
１１３    電源制御部
１１４    電池
【図１】
2011087058.tif 000003
【図２】
2011087058.tif 000004
【図３】
2011087058.tif 000005